(57)【要約】取外し可能な医療デバイスコネクタが、アダプタに接続するスピンナットを備えるコネクタ取付具を備える。コネクタ取付具は、可変半径断面を有する少なくとも１つの半径方向延在部材を有する。スピンナットは、半径方向延在部材の近位でコネクタ取付具に配設され、コネクタ取付具の細長い本体の上で軸方向に摺動可能かつ回転可能である。スピンナットの近位部分内部のねじ山を使用して、コネクタ取付具のテーパ部分を、アダプタに設けられた外部ねじ山に固定する。コネクタを取り外すためには、スピンナットをアダプタから外し、摺動して、それによりスピンナットの遠位受け部がコネクタ取付具の半径方向延在部材に係合するようにする。スピンナットとコネクタ取付具が係合された状態で、スピンナットを捩じり、引張ることによって、医療ラインをアダプタから取り外すことができる。コネクタ取付具の半径方向延在部材を使用して、１つまたは複数のスロットを備える保持具に医療ラインを固定することもできる。【特許請求の範囲】
【請求項１】
取外し可能な医療ラインコネクタシステムであって、
細長い管状部分を備えるアダプタと、
少なくとも一部がアダプタの管状部分に挿入されるように適合された細長い本体、および少なくとも１つの接触面を有し、細長い本体に配設された少なくとも１つの半径方向延在部材を備えるコネクタ取付具と、
コネクタ取付具の細長い本体に摺動可能かつ回転可能に配設された概して管状の本体、および内側断面を有する、遠位に設けられた受け部を備えるスピンナットとを備え、前記受け部が、スピンナットの遠位端の近位に設けられた少なくとも１つの接触面を有し、前記少なくとも１つの接触面が、スピンナットとコネクタ取付具との間で軸方向力と回転力の両方を伝達するように、半径方向延在部材の少なくとも一部を受け部が受け取るときに、スピンナットの少なくとも１つの接触面と相互作用するように構成されて配置されている
医療ラインコネクタシステム。
【請求項２】
さらに、長手方向軸に沿って保持具を通って延在するチャネルと、保持具上で取付具を定位に固定するためにコネクタ取付具の少なくとも１つの半径方向部材を受け取る少なくとも１つのスロットとを有する保持具を備える請求項１に記載のコネクタシステム。
【請求項３】
アダプタがさらに、細長い管状部分の外面に設けられた第１のねじ山を備え、スピンナットがさらに、スピンナットの内面に設けられた第２のねじ山を備える請求項１に記載のシステム。
【請求項４】
スピンナットが、少なくとも１つの近位位置と遠位位置の間で摺動可能であり、スピンナットの第２のねじ山が、コネクタ取付具のテーパ部分がアダプタの管状部分内に挿入されてスピンナットが近位位置にあるときに、アダプタの第１のねじ山に係合するように構成され、スピンナットの受け部が、スピンナットが遠位位置にあるときにコネクタ取付具の半径方向延在部材に係合するように構成されている請求項３に記載のシステム。
【請求項５】
スピンナットが遠位位置にあるときのスピンナットと半径方向延在部材との係合が、スピンナットからコネクタ取付具への遠位に向かう力の伝達をもたらし、かつスピンナットからコネクタ取付具への回転トルクの伝達をもたらす請求項４に記載のシステム。
【請求項６】
半径方向延在部材の最大半径が、少なくとも受け部の半径よりも大きい請求項１に記載のシステム。
【請求項７】
アダプタが、カテーテルの遠位端に配設されている請求項１に記載のシステム。
【請求項８】
コネクタ取付具が、医療ラインの近位端に配設されている請求項１に記載のシステム。
【請求項９】
コネクタ取付具が、固定システムのスロットと協働する第２の半径方向延在部材を含む請求項１に記載のシステム。
【請求項１０】
スピンナットが遠位位置にあるときのスピンナットとコネクタ取付具との係合が、スピンナットとコネクタ取付具の間で回転運動を伝達し、それによりスピンナットとコネクタが一体に回転する請求項１に記載のシステム。
【請求項１１】
スピンナットが遠位位置にあるときのスピンナットとコネクタ取付具との係合が、コネクタ取付具に対するスピンナットの遠位方向移動を阻止する請求項１に記載のシステム。
【請求項１２】
医療ラインアダプタの半径方向延在部材の外側断面が、概して六角形の形状を有する請求項１に記載のシステム。
【請求項１３】
スピンナットの受け部の内側断面が、概して六角形の形状を有する請求項１に記載のシステム。
【請求項１４】
スピンナットの受け部の内側断面が星形を有する請求項１に記載のシステム。
【請求項１５】
スピンナットの受け部の内側断面が１２個の頂点を有する請求項１４に記載のシステム。
【請求項１６】
取外し可能な医療ラインコネクタシステムであって、
細長い管状部分を備えるアダプタと、
少なくとも一部がアダプタの管状部分に挿入されるように適合された細長い本体、および細長い本体に配設され、円周の周りで半径方向で変化する外側断面を有する少なくとも１つの半径方向延在部材を備えるコネクタ取付具と、
コネクタ取付具の細長い本体に摺動可能かつ回転可能に配設された概して管状の本体、および円周の周りで半径方向で変化する内側断面を有する、遠位に設けられた受け部を備えるスピンナットとを備え、
コネクタ取付具の半径方向延在部材の少なくとも一部が、スピンナットの受け部に挿入されるように適合され、前記部分が、取付具の細長い本体の軸の周り全体に延在する医療ラインコネクタシステム。
【請求項１７】
長手方向軸に沿って保持具を通って延在するチャネルと、保持具上で取付具を定位に固定するためにコネクタ取付具の半径方向部材を受け取る少なくとも１つのスロットとを備える保持具と組み合わされた請求項１６に記載のコネクタ取付具。
【請求項１８】
スピンナットが遠位位置にあるときのスピンナットと半径方向部材との係合が、スピンナットからアダプタへの遠位に向かう力の伝達をもたらし、かつスピンナットからアダプタへの回転トルクの伝達をもたらす請求項１６に記載の取付具。
【請求項１９】
アダプタが、医療ラインの近位端に配設されている請求項１６に記載の取付具。
【請求項２０】
スピンナットが遠位位置にあるときのスピンナットとアダプタとの係合が、スピンナットとアダプタとの間の回転運動を阻止する請求項１６に記載の取付具。
【請求項２１】
スピンナットが遠位位置にあるときのスピンナットとアダプタとの係合が、アダプタに対するスピンナットの遠位方向移動を阻止する請求項１６に記載の取付具。
【請求項２２】
医療ラインをアダプタに取外し可能に固定する方法であって、
少なくとも１つの半径方向部材およびテーパ近位部分を有するコネクタ取付具を提供することと、
遠位受け部を有し、コネクタ取付具に配設され、２つの位置、すなわち第１の位置および第２の位置を有するスピンナットを提供することと、
コネクタ取付具の近位部分をアダプタに挿入することと、
スピンナットを第１の位置に移動することと、
スピンナットを捩じることによって、コネクタ取付具の近位部分をアダプタに固定することと、
スピンナットを捩じることによって、アダプタからコネクタ取付具をロック解除することと、
スピンナットを第２の位置に移動することと、
スピンナットを捩じり、遠位方向に引張って、アダプタから医療ラインを取り外すことと
を含む方法。
【請求項２３】
スピンナットを第２の位置に移動することがさらに、コネクタ取付具の半径方向部材の上にスピンナットの遠位受け部を移動することを含む請求項２２に記載の方法。
【請求項２４】
スピンナットを捩じり、引張ることが、コネクタ取付具をアダプタに関して捩じり、遠位方向に引張る請求項２２に記載の方法。
【請求項２５】
さらに、
中心チャネルと、コネクタ取付具の半径方向部材の一部を受け取るようにサイズを取られた少なくとも１つのスロットとを備える保持具を有する固定システムを提供することと、
保持具のスロットがコネクタ取付具の半径方向部材に係合して、保持具に対するコネクタ取付具の横方向および長手方向移動を阻止するように、固定システムの保持具のチャネルにコネクタ取付具を挿入することと
を含む請求項２２に記載の方法。
【請求項２６】
医療デバイスと共に使用する固定システムであって、
細長い本体、および細長い本体に配設された少なくとも１つの半径方向部材を備える取付具と、細長い本体に配設された摺動可能要素とを備え、前記半径方向部材が、細長い本体の少なくとも一部の周りで変化する半径を有し、摺動可能要素が、半径方向部材の少なくとも一部を受け取る受け部を有し、さらに、
細長い本体の少なくとも一部を受け取るようにサイズを取られた、長手方向軸に沿って保持具を通って延在するチャネル、および保持具上で取付具を定位に固定するために取付具の半径方向部材を受け取る少なくとも１つのスロットを備える保持具
を備える固定システム。
【請求項２７】
取外し可能な医療ラインコネクタシステムであって、
細長い管状部分を備えるアダプタと、
外部半径Ｒ1を有し、少なくとも一部がアダプタの管状部分に挿入されるように適合された細長い本体、および細長い本体に配設された少なくとも１つの半径方向延在部材であって、少なくとも１つの接触面を有し、最大半径Ｒ2を有する少なくとも１つの半径方向延在部材を備えるコネクタ取付具と、
コネクタ取付具の細長い本体に摺動可能かつ回転可能に配設された概して管状の本体、および内側断面を有する、遠位に設けられた受け部を備えるスピンナットとを備え、前記受け部が、少なくとも１つの接触面を有し、前記少なくとも１つの接触面が、スピンナットとコネクタ取付具の間で軸方向力と回転力の両方を伝達するように半径方向延在部材の少なくとも一部を受け部が受け取るときに、スピンナットの少なくとも１つの接触面と相互作用するように構成されて配置され、スピンナットが外部半径Ｒ3を有し、半径Ｒ1、Ｒ2、およびＲ3が、Ｒ3−Ｒ2＜Ｒ2−Ｒ1となるようにサイズを取られている医療ラインコネクタシステム。
【請求項２８】
管状部分を有するアダプタに医療ラインを取外し可能に固定するためのコネクタ取付具であって、
少なくとも一部がアダプタの管状部分に挿入されるように適合された細長い本体、および細長い本体に配設され、少なくとも１つの接触面を有する少なくとも１つの半径方向延在部材を備え、さらに、
細長い本体に摺動可能かつ回転可能に配設された概して管状の本体、スピンナットの内面に設けられた第２のねじ山、および内側断面を有する、遠位に設けられた受け部を備えるスピンナットを備え、前記受け部が、スピンナットの遠位端の近位に設けられた少なくとも１つの接触面を有し、前記少なくとも１つの接触面が、スピンナットとコネクタ取付具の間で軸方向力および回転力の両方を伝達するように半径方向延在部材の少なくとも一部を受け部が受け取るときに、スピンナットの少なくとも１つの接触面と相互作用するように構成されて配置されているコネクタ取付具。
【請求項２９】
長手方向軸に沿って保持具を通って延在するチャネルと、保持具上で取付具を定位に固定するためにコネクタ取付具の少なくとも１つの半径方向部材を受け取る少なくとも１つのスロットとを備える保持具と組み合わされた請求項２８に記載のコネクタ取付具。
【請求項３０】
医療ラインをアダプタに取外し可能に固定するためのコネクタ取付具であって、
細長い本体に配設された少なくとも１つの半径方向延在部材を有する細長い本体と、
細長い本体に摺動可能かつ回転可能に配設された概して管状の本体、スピンナットの内面に設けられた第２のねじ山、および円周の周りで半径方向で変化する内側断面を有する、遠位に設けられた受け部を備えるスピンナットとを備え、
前記半径方向延在部材の少なくとも一部が、スピンナットの受け部に挿入されるように適合され、前記部分が、細長い本体の軸の周り全体に延在する
コネクタ取付具。
【請求項３１】
長手方向軸に沿って保持具を通って延在するチャネルと、保持具上で取付具を定位に固定するためにコネクタ取付具の少なくとも１つの半径方向部材を受け取る少なくとも１つのスロットとを備える保持具と組み合わされた請求項３０に記載のコネクタ取付具。
【請求項３２】
取外し可能な医療ラインコネクタシステムであって、
細長い管状部分を備えるアダプタと、
少なくとも一部がアダプタの管状部分に挿入されるように適合された細長い本体、および細長い本体に配設され、多角形をなす外側断面を有する少なくとも１つの半径方向延在部材を備えるコネクタ取付具と、
コネクタ取付具の細長い本体に摺動可能かつ回転可能に配設された概して管状の本体、および円周の周りで半径方向で変化する内側断面を有する、遠位に設けられた受け部を備えるスピンナットと
を備える医療ラインコネクタシステム。
【請求項３３】
少なくとも１つの半径方向延在部材の外側断面が六角形である請求項３２に記載の医療ラインコネクタシステム。
【請求項３４】
管状部分を有するアダプタに医療ラインを取外し可能に固定するためのコネクタ取付具であって、
少なくとも一部がアダプタの管状部分に挿入されるように構成された細長い本体であって、少なくとも１つの半径方向延在部材が配設されており、前記少なくとも１つの半径方向延在部材が複数の接触面を有する細長い本体と、
細長い本体に摺動可能かつ回転可能に配設された概して管状の本体を備え、少なくとも１つの接触面が設けられており、接触面が、スピンナットと半径方向延在部材との間で回転力を伝達するように半径方向延在部材の複数の接触面と相互作用するように構成されているスピンナットと
を備えるコネクタ取付具。
【請求項３５】
スピンナットの少なくとも１つの接触面が、スピンナットの遠位端に設けられている請求項３４に記載の取付具。
【請求項３６】
スピンナットがさらに、遠位に設けられた受け部を備え、スピンナットの少なくとも１つの接触面が、スピンナットの受け部内部に設けられている請求項３４に記載の取付具。
【請求項３７】
管状部分を有するアダプタに医療ラインを取外し可能に固定するためのコネクタ取付具であって、
少なくとも一部がアダプタの管状部分に挿入されるように構成された細長い本体であって、少なくとも１つの半径方向延在部材が配設されており、前記半径方向延在部材が複数の接触面を有する細長い本体と、
細長い本体に摺動可能かつ回転可能に配設された概して管状の本体を備え、複数の接触面が設けられているスピンナットとを備え、スピンナットの複数の接触面が、スピンナットと半径方向延在部材との間で回転力を伝達するために半径方向延在部材の複数の接触面と相互作用するように構成されているコネクタ取付具。
【発明の詳細な説明】
【技術分野】
【０００１】
（発明の背景）
（発明の分野）
本発明は、一般に医療ラインコネクタ取付具に関し、より詳細には、細長い医療器具で使用するための取外し可能コネクタに関する。
【背景技術】
【０００２】
（関連技術の説明）
患者の治療中、血流への流体の送達または血流からの引出しのために、医療人員が、患者の脈管構造への何らかの形態のアクセスを有することが望まれることが多い。そのようなアクセスがある期間にわたって必要なとき、例えば、患者の血流に薬物および／または流体を直接送達するために、患者の血流内にカテーテルを導入して、再利用可能なアクセスを提供することが一般的である。新たなカテーテルを繰返し導入する必要性を回避するために、治療中、患者内でそのような静脈内カテーテルを定位に保つことが望ましい場合がある。
【０００３】
静脈適用例では、カテーテルは通常短く、別の医療ラインに取り付けるように設計されたルアーコネクタを一端に含む。そのようなコネクタはまた、医療ラインをカテーテルにロックするためにスピンナットを含むことができる。このようにすると、同じカテーテルを様々な医療ラインに接続し、かつ様々な医療ラインから取り外して、複数の静脈内カテーテルを導入する必要なく医療ラインを交換することができる。
【０００４】
しかし、長期間使用すると、医療ラインとカテーテルハブとのルアー接続が互いに付着し、取り外すのが困難になる。特に、医療ラインをカテーテルハブにロックするときにスピンナットを介して加えられた力が、スピンナットのロック解除時に医療ラインとカテーテルが外れない程の力で医療ラインをカテーテル内に押すことがある。さらに、流体が、ルアー接続の構成要素の表面間で乾燥し、これは、構成要素間の接着をさらに悪化させる。
【０００５】
そのような環境では、医療技師は、医療ラインを捩じって、または引張ってカテーテルから離すことが必要な場合がある。スピンナットは、医療ライン自体よりも大きな直径を有し、把持するのが容易である。したがって、スピンナットから医療ラインに力を伝達するための機構をルアーコネクタ上に提供して、カテーテルからの医療ラインの取外しを簡単にすることができる。ルアーコネクタで使用するそのようなスピンナットの一例は、Ｗｅｒｓｃｈｍｉｄｔ他の米国特許第５６２０４２７号で見られる。
【０００６】
しかし、Ｗｅｒｓｃｈｍｉｄｔのデバイスに提供されるスプラインでは、スピンナットと医療ラインの間で回転力しか伝達できない。このスプラインはまた、近位方向へのスピンナットの軸方移動を阻止しない。その結果、スピンナットが医療ラインの上に移行する可能性があり、医療ラインを取り付ける、または取り外すときに、医療人員が、使用に適した位置にナットを配置して、締めなおす必要がある。
【０００７】
医療ラインと静脈内カテーテルの間でのルアー型コネクタの重要性および継続的な使用により、そのような取外し可能ルアーコネクタの改良の必要性が引き続き存在する。
【０００８】
（発明の概要）
本発明の一態様は、２つの医療構成要素を一体に結合するために、対応するアダプタと協働するように適合されたコネクタ取付具に関わる。例えば、１つの形態では、コネクタ取付具は、静脈内医療ラインをアダプタに結合するために、留置静脈内カテーテルの遠位側（すなわち患者から離れた側）でアダプタに接続するように適合することができる。しかし、コネクタ取付具は、結果として得られる接続の上流側または下流側のいずれにも配設することができる。
【０００９】
コネクタ取付具は、細長い本体を含む。回転可能なスピンナットがコネクタ取付具本体に配設され、コネクタ取付具の一部の長さに沿って長手方向で摺動することもできる。
【００１０】
半径方向延在部材が、コネクタ取付具本体に配設される。スピンナットは、スピンナットが最も遠位の位置に摺動されるときに半径方向延在部材に係合するように構成された受け部を含む。
【００１１】
コネクタ取付具の取り得る特徴は、多角形（例えば概して六角形）の外側断面を有する半径方向延在部材に関わる。スピンナットの受け部は、半径方向延在部材を受け取って係合するように、協働する形状を有する。スピンナットと半径方向延在部材の係合は、それらの一方が回転されるときにこれらの構成要素の間で回転力を伝達する。
【００１２】
コネクタ取付具の別の可能な特徴は、スピンナットの受け部が、コネクタ取付具の半径方向延在部材を受け取る形状を有し、また、スピンナットが部材と係合されるときに半径方向延在部材に軸方向で当接する壁を有することである。これは、２つの構成要素が係合されたときにスピンナットとコネクタ取付具の間での軸方向力の伝達を可能にする。
【００１３】
より好ましい形態によれば、スピンナットを備えるコネクタ取付具が、医療ラインをアダプタに接続するために使用される。コネクタ取付具は、近位のテーパ部分を有する細長い本体と、細長い本体に、近位テーパ部分の遠位で配設された半径方向延在部材とを有する。細長い本体は、コネクタ取付具の近位側および遠位側にあるポートと連絡する内腔を有する。半径方向延在部材は、可変半径断面を有する。スピンナットは、半径方向延在部材の近位でコネクタ取付具に配設され、コネクタ取付具の細長い本体上で軸方向に摺動可能かつ回転可能である。スピンナットはまた、遠位側に形成された受け部も含む。コネクタ取付具に力を加えるために、スピンナットは、スピンナットの受け部がコネクタ取付具の半径方向延在部材に係合するように遠位方向に摺動される。スピンナットとコネクタ取付具が係合された状態で、スピンナットを捩じり、かつ／または引張ることによって、医療ラインを、アダプタに関して（回転方向で、かつ／または軸方向で）移動することができる。
【００１４】
別の好ましい形態によれば、コネクタ取付具は、少なくとも１つの接触面を有する少なくとも１つの半径方向延在部材を含む細長い本体を含む。コネクタ取付具の細長い本体に摺動可能かつ回転可能に配設された概して管状の本体を備えるスピンナットも使用される。スピンナットの外部半径と、半径方向延在部材の最大半径との半径の差が、半径方向延在部材の最大半径と、スピンナットの外部半径との間の半径の差よりも小さいことが望ましい。
【００１５】
医療ラインをアダプタに固定するためにこの形態のコネクタ取付具を使用する好ましい方法は、コネクタ取付具のテーパ部分をアダプタに挿入することを含む。次いで、アダプタとスピンナットの対応するねじ山が係合するように、スピンナットを近位位置に摺動し、捩じることによって、コネクタがハブに固定される。アダプタからコネクタ取付具を取り外すためには、スピンナットをアダプタから外し、遠位に摺動し、それによりスピンナットの受け部が半径方向延在部材に係合するようにする。次いで、スピンナットを捩じり、引張る。この運動が、受け部と半径方向延在部材との係合によってコネクタ取付具の本体に伝わり、コネクタ取付具のテーパ部分をアダプタから離す。
【００１６】
本発明の別の態様は、２つの医療構成要素を一体に接合する（例えば、医療ラインとカテーテルを接合する）ためのコネクタシステムに関わる。コネクタシステムは、上述したようなコネクタ取付具と、医療ラインアダプタ（例えばカテーテルハブ）とを備える。コネクタ取付具および医療ラインアダプタは、この２つの医療構成要素間の結合を形成するために係合するように構成される。１つの形態では、コネクタ取付具および医療アダプタが、噛み合うねじ山を含み、これらの構成要素を一体に結合する。しかし、本発明の様々な態様を、そのようなルアー型接続とは別に実施することができる。
【００１７】
コネクタシステムを、固定システムと共に使用することができる。この組合せは、医療構成要素間の固定接続を提供し、患者への接続の安全な固定を提供する。固定システムは、コネクタ取付具の少なくとも一部を受け取る保持具を含む。保持具は、保持具に対する取付具の長手方向（すなわち軸方向）運動を阻止するためにコネクタ取付具の半径方向延在部材を受け取るように適合された少なくとも１つの受け部（例えばスロット）を有する。好ましい形態では、保持具は、保持具内部にコネクタ取付具を配置するための複数の位置を提供するために長手方向に設けられた複数の受け部を含む。これは、コネクタ取付具を保持具内に挿入する前に保持具に関してコネクタ取付具を粗く位置決めすることができるようにする。固定システムはまた、アンカパッドを含むことができ、これは、患者の皮膚に付着され、その上に保持具が取り付けられる。
【００１８】
本発明の別の態様は、上述したコネクタ取付具と保持具との組合せに関わる。コネクタ取付具の半径方向延在部材は、半径方向部材がスピンナットと係合されていないときに保持具のスロットまたは他の受け部と協働するように構成されている。そのような保持具は、保持具に関してコネクタ取付具を定位に保持するためにコネクタ取付具の半径方向延在部材と協働するように寸法を取られた１つまたは複数のスロットを含むことができる。保持具はまた、保持具が取り付けられるベースパッドをさらに含む固定システムの一部にすることができる。
【００１９】
本発明、および達成される従来技術に勝る利点を要約するために、本発明のいくつかの目的および利点を上述してきた。当然、そのような目的または利点の全てを、本発明の任意の特定の実施形態に従って達成することができるわけでは必ずしもないことを理解されたい。当業者は、本明細書で教示または提案される場合がある他の目的または利点を必ずしも達成せずに、本明細書で教示する１つの利点または利点の組を達成または最適化する形で本発明を具体化または実施することができることを理解されよう。したがって、コネクタ取付具、および取付具と固定システムおよび／または医療アダプタとの組合せが様々な形態を取ることができるが、全ての実施形態が、上述した態様および特徴の全てを含む必要があるわけではない。さらに、本発明のさらなる態様、特徴、および利点は、以下の好ましい実施形態の詳細な説明から明らかになろう。
【００２０】
次に、本発明の上述した特徴および他の特徴を、本発明のコネクタ取付具およびコネクタシステムの好ましい実施形態の図面を参照して説明する。例示実施形態は、本発明を例示することを意図しており、本発明を限定しない。
【００２１】
（好ましい実施形態の詳細な説明）
本発明の好ましい実施形態について以下に図面を参照して説明する。
【００２２】
以下の説明および例は、例示の医療ラインおよび静脈内カテーテルと共に使用する文脈で、開示する本発明のコネクタシステムの好ましい実施形態を詳細に例示する。しかし、本発明の原理は、静脈内カテーテルに限定されない。当業者は、本開示に鑑みれば、説明する取外し可能コネクタシステムを、限定せずにカテーテルおよび流体送達または排出管を含む他のタイプの医療器具に適用することができることを理解されよう。当業者はまた、本明細書で開示するデバイスおよびシステムに関する追加の適用例を見出すこともできる。したがって、医療ラインおよびカテーテルに関連するコネクタシステムの例示および説明は、コネクタシステムの１つの取り得る適用例の単なる例にすぎない。
【００２３】
コネクタシステムの構成要素（図１参照）の説明を助けるために、以下の座標用語を使用する。「長手方向軸」は、コネクタ取付具１０の軸に概して平行である。「横軸」は、長手方向軸に垂直であり、そのような医療ラインが取り付けられる患者の皮膚の面に概して平行である。「交軸」は、長手方向軸と横軸の両方に垂直に延びる。さらに、本明細書で使用する際、「長手方向」は、長手方向軸に実質的に平行な方向を指し、「横方向」は、横軸に実質的に平行な方向を指し、「交軸方向」は、交軸に実質的に平行な方向を指す。
【００２４】
本明細書で使用する用語「軸」は、医療ラインの軸を表し、したがって、本明細書で使用する用語「長手方向」と実質的に同義である。また、本発明の固定システムを説明するために使用する用語「近位」および「遠位」は、例示適用例の説明で一貫して使用する。すなわち、「近位」および「遠位」は、患者の身体の中心に関して用いる。したがって、任意の装置の近位端は、患者の身体の中心により近い部分であり、任意の構造の遠位端は、患者の身体の中心から、より遠くにある部分である。
【００２５】
また、本発明の固定システムを説明するために使用する用語「上側」、「下側」、「上部」、「底部」などは、実施形態の例示した向きに関して使用する。次に、固定システムの好ましい実施形態、およびそれに関連する使用方法を詳細に説明する。
【００２６】
（概要）
図１に示されるように、例示して説明する医療ラインコネクタシステムの実施形態は、コネクタ取付具１０と、アダプタ１２、例えば図１に例示される静脈内カテーテル用のアダプタとを備える。コネクタ取付具１０は、好ましくは、例示する医療ライン１４の近位端１５に配置される。医療ライン１４は、患者に流体を導入する、または患者から流体を除去するのに有用なデバイス、例えば点滴バッグ、透析器、血液モニタ、または当業者に知られている任意の他のデバイスに接続することができる。
【００２７】
静脈内ラインを静脈内カテーテルに接続するための、コネクタ取付具およびコネクタシステムの例示する使用に関して、カテーテルアダプタ１２は、近位で患者（図示せず）内に挿入される短い経皮針の遠位端に配置される。アダプタ１２および針は、様々な医療ライン１４がコネクタシステムを通じてアダプタ１２に接続された状態で、治療中に患者に対して定位に留まることが望ましい。これは、有利には、医師が複数のカテーテルの導入を回避できるようにし、接続された異なる医療ラインそれぞれに関して複数の針が患者内に貫入する。アダプタ１２は、望ましくは、針の内腔と流体接続する中心内腔を有する細長い管状テーパ領域１３を含む。
【００２８】
アダプタ１２はまた、有利には、アダプタ１２の管状部分１３の外面に配設された外部ねじ山１８を含むことができる。ねじ山１８を、コネクタ取付具１０のスピンナット（以下で説明する）と関連して使用して、医療ライン１４とアダプタ１２を固定して相互接続することができる。ねじ山に加えて、アダプタ１２をコネクタ取付具（以下で説明する）に接続するために他の手段を使用することもできる。これには、限定せずに、ピンおよび溝構成、ラッチおよびキーパ構成、ならびに当業者に知られている他のシステムを含めることができる。
【００２９】
コネクタ取付具１０は、医療ライン１４の近位端１５に遠位で取り付けられた細長い本体２０を備える。コネクタ取付具１０はまた、近位部分３０を備え、近位部分３０は、最も近位の領域がアダプタ１２の管状テーパ部分１３内部に嵌合することができるように、長手方向長さの少なくとも一部に沿ってテーパが付けられていることが望ましい。コネクタ取付具１０のテーパ付き近位部分３０はまた、医療ライン１４の内腔と連絡する、中心に設けられた内腔を含むことが好ましい。
【００３０】
コネクタ取付具１０の近位部分３０がアダプタ１２の管状部分１３内に挿入されるとき、コネクタ取付具の内腔は、アダプタの内腔と流体連絡するように配置される。これは、図２から理解されるように、医療ライン１４と患者との流体連絡を提供する。
【００３１】
図１に示されるように、コネクタ取付具１０はまた、取付具１０の細長い本体２０の遠位領域に配設された少なくとも１つの半径方向に延在する部材３４を有する。図１に示されるように、半径方向延在部材がコネクタ取付具１０の円周の周りに完全に延在することが有利である場合があることに留意されたい。取付具１０の円周の周りに完全に延在する半径方向延在部材により、取付具と保持具の粗い位置合わせしか必要とせずに、取付具１０を保持具（以下で説明する）により簡単に挿入することができるようになる。さらに、円周全体にわたって延在する部材３４により、取付具がそれ自体の軸の周りで行う場合がある任意の回転を考慮せずに取付具と保持具を接続することができるようになる。これは、部材が、あらゆる円周位置で取付具から延在しているためである。第２の半径方向延在部材４４も、追加の半径方向部材（図示せず）と同様に、細長い本体２０に遠位で配設することができる。第２の半径方向延在部材４４は、第１の半径方向延在部材３４と同様の形状を有することができ、あるいは他の形状を有することもできる（例えば円形）。
【００３２】
スピンナット５０が、取付具１０の細長い本体２０の周りでコネクタ取付具１０に配設される。スピンナット５０は、実質的に円筒形であり、コネクタ取付具１０の上で移動することができる。スピンナット５０は、コネクタ取付具１０の軸の周りでの回転運動と、取付具１０の細長い本体２０の長さに沿った近位方向と遠位方向の両方への軸方向運動との両方が可能である。スピンナットの軸方向運動の範囲は、遠位方向では半径方向延在部材３４によって制限され、近位方向では保持縁部３２によって制限される。スピンナットはまた、図１に想像線で例示される内部ねじ山を含む。
【００３３】
図２に示されるように、コネクタ取付具１０の近位部分３０がアダプタ１２の管状部分１３内に挿入されるとき、スピンナット５０を、近位方向に移動して捩じり、それによりアダプタ１２のねじ山１８に係合させ、コネクタ取付具１０をアダプタ１２にロックすることができる。
【００３４】
（コネクタ取付具およびスピンナット）
図３は、取付具１０の細長い本体２０の上で定位にあるスピンナット５０の切欠き図と共にコネクタ取付具１０を示す。スピンナット５０は、スピンナット５０の中心軸がコネクタ取付具１０の細長い本体２０の中心軸と概して同じになるように配設されることが望ましい。スピンナット５０は、コネクタ取付具１０の軸の周りで自由に回転し、かつその軸に沿って自由に摺動する。
【００３５】
スピンナット５０は、スピンナット５０の内面に設けられた内部ねじ山２８を有することが望ましい。このねじ山２８は、アダプタ１２がコネクタ取付具１０に固定されるときに、アダプタ１２のねじ山１８と係合する。図３の断面部分で、スピンナット５０の遠位壁５８も見ることができる。この壁５８が、スピンナット５０の遠位端を形成している。
【００３６】
上述したように、スピンナット５０は、図３では、コネクタ取付具１０の細長い本体２０の長さに沿って完全に遠位でも完全に近位でもない位置で示されている。図４Ａは、スピンナット５０が完全に遠位の位置にある状態で、スピンナット５０およびコネクタ取付具１０を示す。スピンナット５０が遠位位置にあるとき、スピンナット５０の壁５８は、スピンナット５０の受け部６０の遠位面６１が半径方向延在部材３４の近位壁３６に位置するように位置決めされる。これは、４Ｂ−４Ｂと符号を付された図４Ａの部分の拡大図である図４Ｂで、より明確に見ることができる。この位置で、受け部６０は、半径方向延在部材３４の少なくとも一部を受け取る。
【００３７】
図４Ｂを参照すると、スピンナット５０の壁５８は、スピンナット５０の軸に向かって内側に延在し、壁５８から内側に延在するリップ６４で終端することがわかる。リップ６４の内面は、医療ライン取付具１０の細長い本体２０が通過する、スピンナット５０の中央にある開口６６（図５Ｂ参照）を形成する。開口６６は、細長い本体２０の直径よりもわずかに大きいことが好ましい。
【００３８】
図４Ｂで見ることができるように、リップ６４は、軸方向で壁５８よりも狭いので、リップ６４の遠位面６１と、壁の遠位面５４とは、スピンナット５０の軸方向長さに沿って異なる長手方向位置にある。壁５８の遠位面５４は、リップ６４の遠位面６１よりも遠位に位置するので、スピンナット５０の受け部６０を構成する凹部が形成される。図４Ａおよび４Ｂに示されるようにスピンナット５０が完全に遠位の位置にあるとき、半径方向延在部材３４が受け部６０内に挿入される。好ましくは、スピンナット５０が遠位位置にあるとき、スピンナットの受け部６０は、半径方向延在部材３４の軸方向長さの少なくとも約３分の１を受け入れ、より好ましくは、半径方向延在部材３４の軸方向長さの約３分の２を受け入れる。
【００３９】
図５Ａおよび５Ｂに示されるように、受け部６０は、１２頂点の星形をなす断面形状を有する。図６で見られるように、半径方向延在部材３４は、実質的に六角形の断面形状を有する。受け部６０と半径方向延在部材３４との両方に関して他の断面形状を使用することができるが、望ましくは、半径方向延在部材３４の断面形状は、受け部６０の断面形状内部に嵌まることができる。より望ましくは、半径方向延在部材３４および受け部６０の断面形状は、部材３４が受け部６０の内部にあるときに、部材３４の最大半径が受け部の最小半径よりも大きくなるようなものである。
【００４０】
部材３４の最大半径を受け部６０の最小半径よりも大きくすることによって、受け部の壁は、スピンナット５０が遠位位置にある状態で回転される場合に部材３４に対してトルクを及ぼす。このようにすると、遠位位置にあるときにスピンナットに加えられる捩じりの動きがコネクタ取付具１０に伝達され、コネクタ取付具１０をアダプタ１２から取り外すことを試みるときにスピンナット５０を把持できるようにする。
【００４１】
図７Ａおよび７Ｂを参照して、半径延在部材３４の最大半径Ｒ2（図７参照）が、取付具１０の細長い本体２０の半径（図７ＡでＲ1として示される）よりも、スピンナットの外側半径（図７ＢでＲ3として示される）に近いサイズになっていることが望ましい場合もあることに留意されたい。これは、細長い本体２０の表面からの半径方向延在部材３４の半径方向広がりを増大し、スピンナット５０の受け部に関する、より把持しやすい表面を提供する。
【００４２】
図５Ｂに示されるように、１２頂点の星の形状を有する受け部６０と、（図６に示される）六角形の部材３４とを使用すると、受け部６０が部材３４の上を移動して止まりばめを生み出すことができる１２の異なる位置が存在する。しかし、受け部６０が部材３４の上に嵌まるただ１つの位置を利用可能にすることだけが必要であること、およびそのような嵌合が止まりばめである必要がないことを当業者は理解されよう。上で指摘したように、部材３４が受け部の断面内に嵌合し、部材３４の最大半径が受け部６０の最小半径よりも大きい限り、スピンナット５０が完全に遠位の位置にあるときにはスピンナット５０からコネクタ取付具１０にトルクを伝達することができる。
【００４３】
スピンナット５０とコネクタ取付具１０の間でトルクを伝達するための機構を提供することに加えて、受け部６０は、遠位に向けられた軸方向力を部材３４に及ぼすこともできる。図４Ａおよび４Ｂに示されるようにスピンナット５０が遠位位置にあるとき、受け部６０の面を形成するリップの遠位面６１が、半径方向延在部材３４の近位壁３６に押圧される。この接触により、スピンナット５０がすでに遠位位置にあるときに遠位方向に加えられる任意の力が、これらの表面間の接触部を介して、部材３４、およびコネクタ取付具本体２０に伝達される。
【００４４】
また、リップ６４の遠位面６１と半径方向延在部材３４との相互作用は、コネクタ取付具１０の端部から遠位方向に離れ、医療ライン１４に向かうスピンナット５０の移行を阻止する。これは、コネクタ取付具１０の上でスピンナット５０を維持し、取付具１０から離れて移動している場合があるスピンナットを医療人員が位置付ける必要をなくす。これは、カテーテルアダプタ１２からのコネクタ取付具１０のより急速で信頼可能な取外しを可能にする。
【００４５】
（変形形態）
上で指摘したように、スピンナット５０がコネクタ取付具１０に力を伝達することができるようにするために、受け部６０および半径方向延在部材３４に関して様々な形状を使用することができる。スピンナット５０のいくつかの変形形態および部材設計が図８Ａ〜１２Ｂに例示されている。これらの図を通じて、簡単にするために、スピンナット５０、およびコネクタ取付具１０の細長い本体２０は一貫して符号を付ける。以下に述べることを除いて、図８Ａ〜１２Ｂに示される設計は、図１〜６を参照して上述した実施形態と構成および使用法が実質的に同様である。例えば、スピンナット５０と半径方向延在部材３４との間で軸方向の力を伝達するために、全ての設計が、半径方向延在部材３４を軸方向に押圧するリップ６４の遠位壁６１を含む。
【００４６】
半径方向部材に関する変形形態の１タイプが図８Ａ、９Ａ、および１０Ａに示されている。図４Ａに示される連続する六角形部材ではなく、この半径方向部材は、コネクタ取付具１０の細長い本体２０から半径方向に延在する突起４０の形をとる。これらの突起４０は、細長い本体２０の円周全体を取り囲まず、間に空間を有して円周の周りにほぼ均等に離隔されていることが望ましい。
【００４７】
図８Ａは、各半径方向延在部材に関して一対の突起４０を使用するコネクタ取付具１０の遠位端を示す。見てわかるように、複数組の突起４０を、細長い本体２０の長さに沿って様々な軸方向位置に含むことができる。これは、図４Ａに示される実施形態で例示される複数の半径方向延在部材の使用に対応する。
【００４８】
図８Ａのコネクタ取付具１０に関連して動作するように構成されたスピンナット５０が図８Ｂに示されている。このスピンナット５０は、受け部６０の断面形状を除いて、上述したものと実質的に同様に構成されている。受け部６０は、その断面が、コネクタ取付具１０の半径方向延在部材３４の突起４０を挿入することができる形状を提供するように構成されることが望ましい。図８Ｂに見られるように、この形状は、内側円形領域と、受け部６０の円周の周りで離隔されたソケット７０との形を取ることができる。ソケット７０は、好ましくは、内側領域の半径よりも大きな半径を有し、かつ取付具１０の突起４０の半径よりも大きな半径を有する。
【００４９】
ソケット７０はそれぞれ、取付具１０の突起４０よりも大きいことが望ましい。また、ソケット７０と突起４０は、スピンナット５０および取付具１０の円周の周りで同様に間隔を取られていることが望ましい。これにより、図８Ｂのスピンナット５０を、図８Ａのコネクタ取付具１０の細長い本体２０に沿って遠位に移動することができるようになり、突起４０がスピンナット５０のソケット７０内部に嵌まることができるようになる。この構成の２回回転対称性により、受け部６０が突起４０を受け入れる２つの位置が存在する。
【００５０】
この遠位位置では、スピンナット５０は、前の実施形態におけるスピンナットが半径方向延在部材３４に遠位方向の力を及ぼしたのと同様に、突起４０に遠位方向の力を及ぼすことができる。さらに、突起４０と細長い本体２０の半径が異なるので、半径方向壁４２が各突起の端部に作成される。同様の半径方向壁７２が、各ソケット７０の端部でスピンナット５０に作成される。
【００５１】
スピンナット５０が遠位位置にあるとき、スピンナット５０の任意の回転は、最終的に、ピンナット５０の半径壁７２を、１つまたは複数の突起４０の端部にある半径方向壁４２と接触させる。これにより、アダプタ１２からのコネクタ取付具１０の取外しを容易にするために、スピンナット５０から取付具１０にトルクを伝えることができるようになる。
【００５２】
突起４０とソケット７０との嵌合が特に止まりばめである必要はないことに留意されたい。例えば、図８Ａで、約９０°の弧にわたって延在する突起４０が示されている。同様に、図８Ｂで、約９０°の弧にわたって延在するソケット７０が示されている。しかし、細長い本体２０の上の突起４０が約７５°の弧にわたってしか延在していない場合も、受け部６０は突起４０を受け入れ、同じスピンナット５０が、コネクタ取付具１０に対して同じ遠位方向の力およびトルクを及ぼすことができる。
【００５３】
半径方向延在部材３４の突起４０がスピンナット５０の受け部６０内部に嵌合することができ、突起４０の最大半径が受け部６０の最小半径よりも大きい限り、スピンナット５０は、取付具１０と協働して、所望の遠位方向の力およびトルクを伝達する。しかし、突起４０がソケット７０よりも大幅に小さいとき、半径方向延在部材３４と受け部６０との嵌合に、ある量の遊びが存在する。これは、スピンナット５０が回転される場合に、ソケット７０の半径方向壁７２が突起４０の半径方向壁４２と接触する前に、スピンナット５０が弧にわたって回転することができることを意味する。
【００５４】
図９Ａおよび９Ｂは、各半径方向部材３４に関して３つの突起４０があり、受け部６０に３つの対応するソケット７０があること以外は、図８Ａおよび８Ｂに示されるものと実質的に同様に設計されて動作するコネクタ取付具１０およびスピンナット５０を示す。そのような構成は、上述したものと実質的に同様に機能する。例示した構成では、ソケット７０および突起４０はそれぞれ、約６０°の弧にわたって延在する。スピンナット５０が遠位位置にあるときに突起４０がソケット７０内部により簡単に嵌合することができるように、ソケット７０が突起４０よりもわずかに大きな弧にわたって延在することが望ましいことに留意されたい。
【００５５】
図１０Ａおよび１０Ｂは、各半径方向部材３４に関して４つの突起４０があり、受け部６０に４つの対応するソケット７０があること以外は、図８Ａ〜９Ｂに示されるものと実質的に同様に設計されて動作するコネクタ取付具１０およびスピンナット５０を示す。前の実施形態と異なり、細長い本体２０およびスピンナット５０の突起４０およびソケット７０は、間にギャップを有した状態で不均等にサイズを取られている。突起４０およびソケット７０は、約１０°の弧にわたってしか延在しない。
【００５６】
また、いくつかの組合せでは、スピンナット５０が有するソケット７０の数とは異なる数の突起４０を有する取付具１０と共に、スピンナット５０を利用することもできることに留意されたい。例えば、それぞれ１０°にわたって延在し、互いから約９０°離隔された４つの突起４０を有する図１０Ａのコネクタ取付具１０を、各ソケットが約１００°よりも大きな弧にわたって延在する限り、１８０°離隔された２つだけのソケット７０を有する図８Ｂにおけるものと同様のスピンナット５０と共に使用することができる。
【００５７】
このようにすると、ソケット７０と突起４０との嵌合は、やはりしっかりと止まりばめとなる。しかし、スピンナット５０が図８Ａの取付具１０の突起を受け入れることができる２つの位置とは異なり、ここでは、半径方向部材３４が受け部６０内部に嵌合することができる４つの位置が存在する。
【００５８】
半径方向延在部材３４および受け部６０の別の構成が図１１Ａおよび１１Ｂに示されている。ここで、半径方向部材３４は、細長い本体２０の円周全体の周りに延在する一連の１２個の湾曲突出部４０を備える。スピンナット５０の受け部６０は、突出部４０を止まりばめ式に受け入れ、突出部４０に係合するような形状の一組のソケット７０を有する。当業者は、突出部４０の精密なプロフィルが図に示されるようなものである必要はなく、１２個の突出部が存在する必要がないことを理解されよう。しかし、いくつかの環境では、半径方向部材３４が受け部６０内部に嵌合することができるように、突出部４０の数をソケット７０の数と一致させることが望ましい場合がある。
【００５９】
図８Ａ〜１０Ｂに示される設計とは異なり、この実施形態では、突起４０およびソケット７０が湾曲プロフィルを有する。その結果、受け部６０または半径方向部材３４に半径方向壁が存在しない。しかし、突起４０とソケット７０の両方のプロフィルがそれらの長さに沿って半径を変えるので、受け部６０と半径方向部材３４との接触が起こり、これにより、回転トルクを、スピンナット５０からアダプタの細長い本体２０に伝達することができる。
【００６０】
図１２Ａは、図５Ａおよび５Ｂにおけるスピンナット５０の受け部６０と実質的に同じプロフィルを有する突起４０を備える半径方向部材３４を有するコネクタ取付具１０を示す。そのような取付具１０は、図４Ａに示される取付具１０の変形形態として、図５Ａおよび５Ｂのスピンナット５０と共に使用することができる。図１２Ｂは、図４Ａの取付具１０の半径方向部材３４と実質的に同じプロフィルの六角形受け部６０を有するスピンナット５０を示す。このスピンナット５０は、図５Ａおよび５Ｂのスピンナット５０に対する変形形態として、図４Ａのアダプタと共に使用することができる。
【００６１】
（カテーテルアダプタおよびスピンナット）
医療ラインコネクタシステムに関する別の構成が、図１３および１４に示されている。そのようなシステムで使用されるスピンナット５０が図１３に示されており、図１２Ｂに示されるスピンナット５０と実質的に同じである。しかし、このスピンナット５０は、図１４に示されるように、別の形で使用される。
【００６２】
図１４は、医療ライン１４の近位端に接続される医療ラインアダプタ２１０を示す。医療ラインアダプタ２１０は、細長い本体２２０と近位部分２３０とを含む。細長い本体２２０が、医療ライン１４に取り付けられている。外部ねじ山２００が、細長い本体２２０の外面に設けられている。このアダプタ２１０は、図１のコネクタ取付具１０において提供されるコネクタシステムと同じ雄部分を提供する。
【００６３】
別のコネクタ取付具２１２が、第２の医療ライン１６の遠位端に示されている。この取付具２１２は、図１のアダプタ１２によって提供されるコネクタシステムの雌部分を提供する。スピンナット５０は、医療ラインアダプタ２１０の細長い本体２２０に沿ってではなく、コネクタ取付具２１２の管状セクションの外側に沿って配設される。さらに、半径方向延在部材２３４も、コネクタ取付具２１２に配設される。
【００６４】
本質的に、図１４に示される実施形態は、前の図で示されるように雄部材にではなく、コネクタシステムの雌部材２１２に、スピンナット５０および半径方向部材２３４を配置する。システムの動作は、そのような実施形態で実質的に同じであるが、ここではスピンナット５０は、コネクタシステムの雌部材２１２に対して並進力および回転力を伝達するために使用される。
【００６５】
図１および２に示されるコネクタ取付具１０で使用される半径方向部材３４に関して開示した特徴を、コネクタ取付具２１２での半径方向部材２３４の使用にも適用することができる。これは、図８Ａ〜１２Ｂに開示したものなど、受け部６０および半径方向部材３４の様々な断面形状、および当業者に知られている他の特徴を含む。
【００６６】
（動作）
動作の際、図１および２で見られるように、本発明の一実施形態によるコネクタシステムを使用して、コネクタ取付具１０をアダプタ１２に固定し、かつ必要なときにはコネクタ取付具１０をアダプタ１２から容易に取り外すことができる。システムの動作を、図１および２に示されるデバイスの実施形態を参照しながら説明する。しかし、当業者は、本明細書で説明する変形形態の任意のものに同じ動作を望ましく適用することができることを理解されよう。
【００６７】
医療ライン１４をアダプタ１２に接続する際、医療技師はまず、アダプタ１２の管状部分１３に、コネクタ取付具１０の近位端３０を挿入する。次いで、スピンナット５０のねじ山２８がアダプタ１２のねじ山１８に接触するまで、スピンナット５０を近位方向に押す。次いで、スピンナット５０を捩じり、コネクタ取付具１０とアダプタ１２との接続を固定することができる。これにより、図２に示される形状が得られる。
【００６８】
コネクタ取付具１０をアダプタ１２から取り外すためには、スピンナット５０のねじ山２８がアダプタ１２のねじ山１８から外れるまで、スピンナット５０を捩じる。次いで、スピンナット５０の遠位部分にある受け部６０がコネクタ取付具１０の半径方向延在部材３４に押し当てられるまで、スピンナット５０を、コネクタ取付具１０の細長い本体２０の長さに沿って遠位方向に摺動する。
【００６９】
次いで、半径方向延在部材３４がスピンナット５０の受け部６０内に摺動するまで（コネクタ取付具１０に対して）、スピン・ナットに遠位方向の圧力を加えた状態でスピンナット５０を回転させる。医療技師は次いで、スピンナット５０を捩じり、引張ることができ、捩じりおよび引張りの力が、コネクタ取付具１０に伝達される。アダプタ１２を定位に保持した状態でこれを行うことによって、コネクタ取付具１０を直接把持する必要なく、コネクタ取付具１０をアダプタ１２から取り外すことができる。
【００７０】
（コネクタ取付具および固定システム）
図１５および１６は、上で開示したコネクタシステム１０と共に使用される固定システム３００を例示する。コネクタシステム１０は、固定システム３００の保持具３０２に対して定位にスナップ係合することができる。保持具３０２は、コネクタ取付具１０を固定するように構成されている。保持具２０３は、望ましくは患者の皮膚に保持具をアンカするために使用することができるベースパッド３０４上に配設される。
【００７１】
（保持具）
保持具３０２は、概して平行六面体の形状を有し、一対の向かい合う長手方向壁３０８の間に設けられた中心チャネル３０６を画定する。中心チャネル３０６は、保持具３０２の長手方向軸に概して平行な軸に沿って保持具３０２を通って延在する。
【００７２】
中心チャネル３０６は、上側開口３１０を有する概してＵ字形のチャネルを形成するために上端部で切頭された概して円形の断面形状を有する。中心チャネル３０６は、コネクタ取付具１０の半径方向部材３４を受け取るようにサイズを取られた直径を有する。好ましい実施形態では、中心チャネル３０６の直径は、半径方向部材３４の直径と概して一致する、またはわずかに大きい。
【００７３】
断面で、中心チャネル３０６は、開口３１０の交軸方向長さが中心チャネル３０６の直径よりも小さくなるようにチャネル軸の周りで１８０°よりも大きな弧にわたって延在する。例示実施形態では、中心チャネル３０６は、チャネル軸の周りで約２００°の弧にわたって延在する。
【００７４】
チャネル軸は、パッド３０４の表面に関して望ましい角度を付けられている。パッド３０４の表面とチャネル軸とのなす入射角は、望ましくは４５°未満である。この角度は、望ましくは０°〜３０°の範囲である。静脈使用に関する１つの例示実施形態では、この角度が約７°であることが好ましい。動脈使用に関する別の実施形態では、この角度が約２２°であることが好ましい。末梢挿入中心静脈カテーテル（ＰＩＣＣ）に関するさらなる例示実施形態では、この角度が０°であることが好ましい。
【００７５】
保持具３０２の各壁３０８が、均一なスロット３１２の組を備える。使用にはただ１つのスロット３１２が必要であるが、２つ以上のスロット３１２を使用すると、スロット３１２内に取付具の１つまたは複数の半径方向部材を圧入するときに、保持具３０２と取付具１０との粗い位置合わせしか必要なくなる。より好ましくは、スロットの組は、７個未満のスロット３１２を備える。１つの例示実施形態では、図１５および１６に例示されるように、組が４つのスロット３１２を備える。
【００７６】
各スロット３１２が、以下に詳細に論じるように、コネクタ取付具１０の長手方向移動を防止するために取付具１０の半径方向部材３４を受け入れるようにサイズを取られている。各スロットは長方形であることが望ましい。スロット３１２は、保持具３０２の両方の壁３０８を通って延在し、中心チャネル３０６内に開いている。以下に論じるように、（長手方向で測定される）各スロット３１２の幅は、長手方向で測定されるコネクタ取付具１０の半径方向部材３４の幅よりもわずかに大きいことが望ましく、スロット３１２が半径方向部材３４を受け取ることができるようになる。
【００７７】
各スロット３１２が、長手方向壁３０８の上縁部と中心チャネル３０６の底部との間で交軸方向で測定される高さを有する。スロット３１２の高さは、半径方向部材３４の幅にほぼ等しいことが望ましく、それにより半径方向部材３４が交軸方向で保持具３０２から突出しない。
【００７８】
別法として、スロット３１２を、長手方向壁３０８から中心チャネル３０６内に延在する突出部（図示せず）によって代用することができる。複数の突出部が使用される場合、半径方向部材３４は、隣接する突出部の間に配置される。当業者に理解されるように、突出部がスロット３１２の代わりに使用される場合、中心チャネル３０６の幅を、半径方向部材３４の幅に適応するように増大することが必要な場合がある。
【００７９】
長手方向壁３０８の上縁部は、一連の食付き部３１６を備え、食付き部はそれぞれ、スロット３１２内に傾斜している。すなわち、スロット３１２を取り囲む長手方向壁３０８の上縁部の部分が、一対の食付き部３１６を含み、１つの食付き部３１６がスロット３１２の一方の側に位置している。食付き部３１６は、スロット３１２に向かって下方向に傾斜し、コネクタ取付具１０の半径方向部材３４のスロット３１２内への挿入を容易にする。
【００８０】
保持具３０２は、比較的堅いプラスチック材料（例えばポリカーボネート）からなり、しかし、医師が保持具３０２の中心チャネル３０６内にコネクタ取付具１０を押し入れるときにコネクタ取付具１０が長手方向壁３０８の上縁部を交軸方向外側に進めるようにいくぶん可撓性をもっている。取付具１０が中心チャネル３０６内に位置するとき、壁３０８の上縁部が、元の位置へ向かって交軸方向内側にスナップ係合して、取付具１０を保持具３０２内部に固定して保持する。
【００８１】
接着剤が保持具３０２をベースパッド３０４に接着することが望ましい。別法として、保持具３０２は、非接着手段によってベースパッド３０４に取り付けることができる（例えば保持具３０２をベースパッド３０４内に埋め込む、または他の方法で編み込む）。
【００８２】
（ベースパッド）
引き続き図１５および１６を参照すると、可撓性ベースパッド３０４は、上側フォーム層３１８（例えば、クローズドセルポリエチレンフォーム）および下側接着剤層３２０を有する積層構造を備える。下側接着剤層３２０はまた、ベースパッド３０４の下面３２２を形成する。下面３２２は、医療グレード接着剤であることが望ましく、特定の適用例に応じて発汗性または非発汗性にすることができる。接着剤層を有するそのようなフォームは、Ａｖｅｒｙ  Ｄｅｎｎｉｓｏｎ（米国オハイオ（Ｏｈａｉｏ）州Ｐａｉｎｓｖｉｌｌｅ）から市販されている。例示していないが、ベースパッド３０４が、接着剤層３２０に加えて縫合穴を含み、ベースパッド３０２を患者の皮膚にさらに固定することができることを理解されたい。
【００８３】
１つの代替実施形態では、有利には、患者の皮膚にパッドを取り付けるためにベースパッド３０４上で親水コロイド接着剤を使用することができる。親水コロイド接着剤は、取り外す際に患者の皮膚を擦傷する傾向がほとんどない。これは、コラーゲン欠乏症の患者など、敏感な、または虚弱の皮膚の患者に特に重要である。
【００８４】
上側フォーム層３１８の表面が、ベースパッド３０４の上面を構成する。上面は、低い電荷を用いてフォーム層３１８をコロナ処理することによって粗くすることができる。粗い、または有孔の上面は、ベースパッド３０４と保持具３０２およびタブクリップ３２８との間の接着の質を向上させることができる。この代替形態では、可撓性ベースパッド３０４は、医療グレード接着剤の下層と、内部フォーム層と、上側の紙または他の織布または不織布の層とを備えることができる。
【００８５】
取外し可能な紙またはプラスチック裏当て３２３が、使用前に底部接着剤層３２２をカバーしていることが望ましい。裏当て３２３は、破けにくく、患者の皮膚へのパッド３０４の簡単な取付けのために複数の部片に分割されていることが好ましい。望ましくは、裏当ては、可撓性ベースパッド３０４の中心線に沿って分けられ、一度に接着剤底面３２２の半分のみを露出する。また、裏当て３２３は、ベースパッド３０４の少なくとも１つの縁部を越えて延在して、接着剤層３２２から裏当てを容易に取り外すことができるようになっていると有利である。
【００８６】
１つまたは複数のタブ３２５を、可撓性ベースパッド３０４を越えて延在する裏当て３２３の一部に取り付けることができる。１つの例示実施形態では、タブ３２５は、可撓性ベースパッド３０４と同じ積層構造を有する。タブ３２５は、ベースパッド３０４の縁部を越えて延在する紙裏当て３２３によって形成することもできる。また、タブ３２５は、ベースパッド３０４から裏当て３２３を取り外すときの指の配置を示すために、点、言葉、数字などの形での印を有することができる。
【００８７】
タブ３２５は、当然、様々な形状で設計することができる。例えば、タブがベースパッドの中心線に沿って位置する必要はない。特定の部位での患者の皮膚上へのパッドの取付けを容易にするために、タブをベースパッドの任意のラインに沿って位置することができる。例えば、関節など、急激な湾曲を有する患者の皮膚の領域は、タブを、中心線に沿ってではなく、ベースパッド３０４の横方向端部の１つに向けて配置することが必要な場合がある。
【００８８】
看護婦または医師が、タブ３２５を把持し、底部接着剤層３２２の半分から裏当て３２３を剥がす。タブは、裏当てを接着剤層から離すために看護婦が裏当てのコーナ縁部または他のセグメントを摘まむという要件を克服する。次いで、看護婦は、患者の皮膚に底部層３２２を配置して、ベースパッド３０４を患者に接着する。上層３１８の上への軽い圧力が、ベースパッド３０４と患者の皮膚との良好な接着を保証する。ベースパッド３０４は、その可撓性により、ベースパッド３０４が接着する局所表面の外形に適合する。次いで、看護婦は、パッド３０４の他の半分に関してこの処置を繰り返す。別法として、看護婦は、パッド３０４を患者の皮膚に取り付ける前に、パッド３０４から裏当て３２３を完全に取り外すことができる。
【００８９】
ベースパッド３０４は、パッド３０４上の保持具３０２の位置の遠位に配置され、針または他の留置医療器具の挿入の点に隣接する切欠き３２４を備えることが望ましい。切欠き３２４は、挿入部位の視覚検査を可能にするようにサイズを取られる。
【００９０】
ベースパッド３０４は、望ましくは、挿入部位に関するベースパッド３０４の適切な向きを示す矢印の形での印３２６を備えることができる。図１５および１６は、矢印の形での印を例示するが、例えば、限定せずに、言葉や他のグラフィックスなど他の形の印を使用することもできることが企図されている。印３２６は、針に向かって近位方向に示され、あるいは、針、またはアダプタ１２への他の近位装着物に関するパッド３０４の適切な位置を示す。
【００９１】
１つの例示実施形態では、ベースパッド３０４の積層構造は、好ましくは、３ＭからのＭＩＣＲＯ−ＰＯＲＥテープ（アイテムＮｏ．１５３０）として市販されている微小孔レイヨンテープなどの紙テープを、３Ｍから市販されているものなど医療グレードポリ塩化ビニルフォームテープ（アイテムＮｏ．９７７７Ｌ）の上に巻き付けることによって形成される。フォームテープは、底部ライナまたは裏当て３２３を含むことが好ましい。次いで、ベースパッド３０４およびタブ３２５が、フォームおよび紙の積層シートの外に刻印される。しかし、タブとベースパッドの間の裏当て３２３は、ベースパッド３０４の接着剤セクション３２２をカバーしている裏当てにタブ３２５が取り付けられたままになるように、分断されないことが望ましい。次いで、裏当て３２３が、パッド３０４の中心線に沿って、タブ３２５間で、２つの部片に切断される。
【００９２】
（チューブクリップ）
図１５および１６はまた、チューブクリップ３２８を例示する。当技術分野で知られているように、クリップ３２８は、安全ループを形成するために医療ライン１４を固定する。
【００９３】
チューブクリップ３２８は、ベースパッド３０４に接着された、またはその中に埋め込まれたプレート状ベース３３０を有する。チューブクリップ３２８は、保持具３０２のいずれかの側でベースパッド３０４上に位置することができ、左手または右手装着に対処する。固定システム３００はさらに、保持具３０２の、第１のチューブクリップ３２８とは反対の側に位置する第２のチューブクリップ（図示せず）を含むこともできる。
【００９４】
クリップ３２８は、上側オリフィス３３４を形成するように切頭された概して円形の断面形状を有するチャネル３３２を画定する。チャネル３３２の直径は、固定相互接続を保証するように医療ライン１４の直径よりもわずかに小さいことが望ましい。チャネル３３２は、弱い圧力を印加して、オリフィス３３４を通して医療ライン１４の一部を受け取る、あるいは以下で説明するようにチューブクリップ３２８のオリフィス３３４にわたって、かつそこを通してライン１４を引張ることによって医療ライン１４の一部を受け取る。クリップ３２８は、医療ライン１４がチャネル３３２内部に配置された状態で、医療ライン１４の実質的な部分を取り囲む。
【００９５】
チャネルの上縁部は、クリップ３２８の近位端および遠位端にテーパ付き端部３３６を含むことができる。各テーパ付き端部３３６は、チャネル３３２の側縁部と上縁部の間の滑らかな移行を形成し、側縁部からチューブクリップ３２８の中心に向けて横方向幅にテーパを付ける。テーパ付き端部３３６は、医師がクリップ３２８にわたって医療ライン１４を引っ張るときに医療ライン１４をチャネル３３２内に案内する助けをする。したがって、医師は、クリップ３２８内に挿入するためにライン１４を摘まむ必要がない。また、クリップ３２８内に挿入するためにライン１４を摘まむ必要がある場合に通常起こるように、ライン１４の挿入時に医師の手袋がクリップ３２８に付着するということがない。
【００９６】
（スライドクランプ）
図１６を参照すると、当技術分野で知られているように、固定システム３００が、追加として、医療ライン１４を通る流体の流れを調整するためにスライドクランプ３３８を含むことが望ましい。クランプ３３８は、一端に、医療ライン１４を受け取るアパーチャ３４０を含み、反対の端部にタブ３４２を含む。クランプ３３８は、アパーチャ３４０を画定する一対の突起部３４４によって形成される概してフォーク状の形状を有する。医療ライン１４は、突起部３４４間でアパーチャ３４０内にスナップ係合し、このアパーチャは、医療ライン１４よりもわずかに大きい直径を有する。
【００９７】
突起部３４４は、タブ３４２に向かう方向で収束し合い、アパーチャ３４０内に開いたテーパスロット３４６を形成する。突起部３４４は、医療ライン１４をスロット３４６内に配置した状態で医療ライン１４を摘まんで閉じ、それによりそこを通る流体の流れを遮断する。しかし、クランプ３３８は、ライン１４がアパーチャ３４０を通って配置された状態で医療ライン１４の上を摺動する。
【００９８】
（フィンガープラットフォーム）
図１５および１６を参照すると、フィンガープラットフォーム３４８が、保持具３０２の側壁３０８から延在する。フィンガープラットフォーム３４８は、保持具３０２のいずれかの側でベースパッド３０４上に位置して、左手または右手装着に対処することができる。固定システム３００はさらに、保持具３０２の、第１のフィンガープラットフォーム３４８とは反対の側に位置する第２のフィンガープラットフォーム（図示せず）を含むことができる。フィンガープラットフォーム３４８は、コネクタ取付具１０を引張る間、または保持具３０２から取付具１０を外すときに患者の皮膚に対してヘルスケア提供者が保持具３０２を押圧することができるようにサイズを取られ、構成されている。
【００９９】
ベースパッド３０４以外の固定システム３００の構成要素（すなわち保持具３０２、チューブクリップ３２８、スライドクランプ３３８、およびフィンガープラットフォーム３４８）は、当業者に良く知られている様々な方法の任意のもので構成することができる。例えば、個別の構成要素を、それぞれ、射出成形または熱可塑性などによって一体に成形することができる。構成要素は、好ましくは、耐久性があり、可撓性がある材料からなり、より好ましくは、概して不活性の非毒性材料からなる。１つの好ましい実施形態では、構成要素は、例えばポリカーボネート、ポリ塩化ビニル、ポリプロピレン、ポリウレタン、テトラフルオロエチレン（例えばＴＥＦＬＯＮ（登録商標））、ポリテトラフルオロエチレン（別名ＰＴＥＦ）、アセタール樹脂（例えばＤＥＬＲＩＮ（登録商標））、クロロトリフルオロエチレン（例えばＫＥＬ−Ｆ（登録商標））、ナイロン、または他のポリマーなどのプラスチックから成形される。
【０１００】
（固定システムを使用したコネクタの固定）
使用方法の以下の論述は、図１５および１６を参照し、はじめに静脈内カテーテル法の文脈で行う。しかし、以下の論述は例示のものであり、固定システム３００を他のカテーテル法処置にも使用することができることを理解されたい。
【０１０１】
看護婦または医師は通常、静脈の上の所望の位置にカテーテルを位置決めすることによってカテーテル法プロセスを始める。医師は、アダプタ１２のカニューレ部分を通して、所望の入射角で患者の皮膚内に針または他のスタイラスを導入する。静脈使用では、針は通常、約７°の入射角を有する。針の遠位端は、有利には、雌ルアー形アダプタ１２に事前接続されている。
【０１０２】
看護婦は、上述したように、アダプタ１２内にコネクタ取付具１０の近位部分３０を取り付ける。
【０１０３】
看護婦は、ベースパッド３０４の接着剤底面３２２を始めにカバーしている紙裏当て３２３を取り外し、パッド３０４を、留置針の近傍で患者の皮膚に取り付ける。具体的には、看護婦は、保持具３０２の近傍で裏当てタブ３２５を把持する。看護婦は次いで、タブ３２５を引張り、裏当てを底部接着剤層３２２の半分から剥がす。看護婦は、針の方向を指す指示印３２６（例えば指示矢印）を用いて、アダプタ１２の周りにパッド３０４のスロット３２４を位置付ける。次いで、看護婦は、患者の皮膚に対して底部層３２２を配置して、ベースパッド３０４を患者に接着する。上層３１８の上への軽い圧力が、ベースパッド３０４と患者の皮膚との良好な接着を保証する。ベースパッド３０４は、その可撓性により、ベースパッド３０４が接着する局所表面の外形に適合する。次いで、看護婦は、パッド３０４の他の半分に関してこの処置を繰り返す。別法として、看護婦は、パッド３０４を患者の皮膚に取り付ける前に、パッド３０４から裏当て３２３を完全に取り外すことができる。
【０１０４】
看護婦は、一連の保持具スロット３１２の上にコネクタ取付具１０の半径方向部材３４を向ける。次いで、看護婦は、保持具３０２内に取付具１０をスナップ係合する。そうする際、取付具１０は、保持具３０２の長手方向壁３０８の間に押される。看護婦が保持具３０２内に取付具１０を押すとき、長手方向壁３０８のスロット３１２の周りの食付き部縁部３１６が、半径方向部材３４をスロット３１２の１つの中に案内する。
【０１０５】
上述したように、チャネル３０６の上側開口３１０は、横方向で測定される幅が、取付具１０の細長い本体２０の直径よりも小さい。したがって、横方向壁３０８は、横方向で外側にずれる。取付具１０の細長い本体２０が保持具３０２の中心チャネル３０６内部に位置すると、横方向壁３０８は、取付具１０を定位にスナップ係合するようにばね式に戻る。したがって、保持具３０２の壁３０８は、患者に対する取付具１０の意図しない交軸方向および横方向移動を防止する。
【０１０６】
保持具３０２の設計は、取付具１０を保持具３０２内部に固定することができる様々な位置を提供する。このようにすると、保持具３０２の使用は、技法または位置の影響を受けない。すなわち、看護婦または医師は、取付具１０と任意の特定のスロット３１２との相対位置に無関係に、取付具１０を保持具３０２内に簡単に圧入することができる。半径方向部材３４は、部材３４がスロット３１２の上のどこかに位置決めされる限り、食付き部縁部３１６によって一連のスロット３１２の１つの中に案内される。
【０１０７】
図１６に例示するように、看護婦はまた、当技術分野で知られているように、医療ライン１４で安全ループを形成し、チューブクリップ３２８内にライン１４の一部を挿入することによって安全ループを患者に固定する。安全ループは、医療ライン１４に加えられる任意の張力を吸収し、コネクタ取付具１０および／またはアダプタ１２が引張られるのを防止する。
【０１０８】
当業者は、固定システム３００にコネクタシステムを固定するための上述の技法を、図１４に示される実施形態など、アダプタ１２に配設されたスピンナット５０および半径方向部材３４を利用するコネクタシステムに同様に適用することができることを理解されよう。これらの場合、アダプタ１２は、固定システム３００の保持具３０２に直接固定される。しかし、半径方向部材３４は、図１５および１６に関して上述したのと同じ様式で、保持具３０２のスロット３１２の１つの中に固定される。
【０１０９】
さらに、当業者は、アダプタ１２からコネクタ取付具１０を解放することに関して上述した技法を、固定システム３００にコネクタシステムを固定するための技法と組み合わせることができることを理解されよう。
【０１１０】
したがって、本発明による上述したコネクタ取付具の様々な実施形態が、スピンナットを使用して、アダプタにコネクタ取付具を接続し、アダプタから医療ラインを簡単に解放する手段を提供する。スピンナットは、半径方向部材に対して押圧され、医師の指からコネクタ取付具に力を伝達して取付具をアダプタから分離するために使用することができる。
【０１１１】
当然、そのような目的または利点の全てを、本発明の任意の特定の実施形態に従って達成することができるわけでは必ずしもないことを理解されたい。したがって、例えば、当業者は、本明細書で教示または提案される場合がある他の目的または利点を必ずしも達成せずに、本明細書で教示した１つの利点または利点の組を達成または最適化する形で本発明を具体化または実施することができることを理解されよう。
【０１１２】
さらに、当業者は、様々な実施形態からの様々な特徴の交換可能性を理解されよう。例えば、受け部および半径方向部材の形状は、図８Ａ〜１２Ｂに示される代替実施形態の１つから取ることができ、図１４に示されるように、スピンナットがアダプタ上にあるコネクタシステムに適用することができる。本明細書で説明した変形形態に加え、各特徴に関する他の知られている等価形態を、当業者が組み合わせ、適合させ、本発明の原理による取外し可能なコネクタシステムを構成することができる。
【０１１３】
本発明を、いくつかの好ましい実施形態および例の文脈で開示してきたが、本発明が、特に開示した実施形態を越えて、他の代替実施形態、および／または本発明の使用、および明らかな修正形態および等価形態に及ぶことを当業者は理解されよう。したがって、本明細書で開示する本発明の範囲は、上述した特定の開示した実施形態によって限定すべきでなく、以下の特許請求の範囲を正当に読むことによってのみ判断すべきものであるように意図されている。
【図面の簡単な説明】
【０１１４】
【図１】コネクタ取付具とコネクタシステムのアダプタとが切り離された状態での、本発明の好ましい実施形態に従って構成されたコネクタ取付具を含むコネクタシステムの斜視図である。
【図２】コネクタ取付具とアダプタが互いに接続された状態での、図１のコネクタシステムの斜視図である。
【図３】取付具のスピンナットを部分的に断面で示す、図１のコネクタ取付具の斜視図である。
【図４Ａ】図３に示されるのと同様の図であり、コネクタ取付具の半径方向延在部材と係合されたスピンナットを例示する図である。
【図４Ｂ】図４Ａの円４Ｂ−４Ｂ内の領域の拡大図であり、スピンナット受け部の壁に当接する半径方向延在部材を例示する図である。
【図５Ａ】受け部を示すスピンナットの遠位端の斜視図である。
【図５Ｂ】受け部を例示するスピンナットの拡大遠位端面図である。
【図６】図３の線６−６に沿って取られるコネクタ取付具の断面図であり、半径方向延在部材の好ましい形態を例示する図である。
【図７Ａ】コネクタ取付具の追加の好ましい形態の断面図である。
【図７Ｂ】スピンナットおよび受け部の別の好ましい形態を例示するスピンナットの拡大遠位端面図である。
【図８Ａ】別の好ましい形態に従って構成された半径方向延在部材を有するコネクタ取付具の遠位端部分の斜視図である。
【図８Ｂ】半径方向延在部材を受け取るために、対応する形状の受け部を有するスピンナットの遠位端の斜視図である。
【図９Ａ】追加の好ましい形態に従って構成された半径方向延在部材を有するコネクタ取付具の遠位端部分の斜視図である。
【図９Ｂ】半径方向延在部材を受け取るために、対応する形状の受け部を有するスピンナットの遠位端の斜視図である。
【図１０Ａ】別の好ましい形態に従って構成された半径方向延在部材を有するコネクタ取付具の遠位端部分の斜視図である。
【図１０Ｂ】半径方向延在部材を受け取るために、対応する形状の受け部を有するスピンナットの遠位端の斜視図である。
【図１１Ａ】追加の好ましい形態に従って構成された半径方向延在部材を有するコネクタ取付具の遠位端部分の斜視図である。
【図１１Ｂ】半径方向延在部材を受け取るために、対応する形状の受け部を有するスピンナットの遠位端の斜視図である。
【図１２Ａ】追加の好ましい形態に従って構成された半径方向延在部材を有するコネクタ取付具の遠位端部分の斜視図である。
【図１２Ｂ】半径方向延在部材を受け取るために、対応する形状の受け部を有するスピンナットの遠位端の斜視図である。
【図１３】以下の図１４に示される接続システムと共に使用することができるさらに別の形態でのスピンナットの斜視図である。
【図１４】本発明の別の好ましい実施形態に従って構成されたコネクタシステムの斜視図である。
【図１５】例示の固定システムを備える、図１に示されるシステムのコネクタ取付具の斜視図である。
【図１６】図１５からの例示医療ライン固定システムと共に使用される、図１のコネクタシステムの斜視図である。
【図１】
2004523276.tif 000002
【図２】
2004523276.tif 000003
【図３】
2004523276.tif 000004
【図４Ａ】
2004523276.tif 000005
【図４Ｂ】
2004523276.tif 000006
【図５Ａ】
2004523276.tif 000007
【図５Ｂ】
2004523276.tif 000008
【図６】
2004523276.tif 000009
【図７Ａ】
2004523276.tif 000010
【図７Ｂ】
2004523276.tif 000011
【図８Ａ】
2004523276.tif 000012
【図８Ｂ】
2004523276.tif 000013
【図９Ａ】
2004523276.tif 000014
【図９Ｂ】
2004523276.tif 000015
【図１０Ａ】
2004523276.tif 000016
【図１０Ｂ】
2004523276.tif 000017
【図１１Ａ】
2004523276.tif 000018
【図１１Ｂ】
2004523276.tif 000019
【図１２Ａ】
2004523276.tif 000020
【図１２Ｂ】
2004523276.tif 000021
【図１３】
2004523276.tif 000022
【図１４】
2004523276.tif 000023
【図１５】
2004523276.tif 000024
【図１６】
2004523276.tif 000025
【国際公開パンフレット】
2004523276.tif 000026
2004523276.tif 000027
2004523276.tif 000028
2004523276.tif 000029
2004523276.tif 000030
2004523276.tif 000031
2004523276.tif 000032
2004523276.tif 000033
2004523276.tif 000034
2004523276.tif 000035
2004523276.tif 000036
2004523276.tif 000037
2004523276.tif 000038
2004523276.tif 000039
2004523276.tif 000040
2004523276.tif 000041
2004523276.tif 000042
2004523276.tif 000043
2004523276.tif 000044
2004523276.tif 000045
2004523276.tif 000046
2004523276.tif 000047
2004523276.tif 000048
2004523276.tif 000049
2004523276.tif 000050
2004523276.tif 000051
2004523276.tif 000052
2004523276.tif 000053
2004523276.tif 000054
2004523276.tif 000055
2004523276.tif 000056
2004523276.tif 000057
2004523276.tif 000058
2004523276.tif 000059
2004523276.tif 000060
2004523276.tif 000061
2004523276.tif 000062
2004523276.tif 000063
2004523276.tif 000064
2004523276.tif 000065
2004523276.tif 000066
2004523276.tif 000067
2004523276.tif 000068
2004523276.tif 000069
2004523276.tif 000070
2004523276.tif 000071
【国際公開パンフレット（コレクトバージョン）】
2004523276.tif 000072
【国際調査報告】
2004523276.tif 000073
2004523276.tif 000074
2004523276.tif 000075